(57)【要約】【課題】写真画像に映し込まれた日付を用いて、写真画像を実際に撮影した日付順に正しく並べることができるようにする。【解決手段】写真画像に映し込まれた日付が誤っている場合、写真画像を表す画像データに基づいて、写真画像から日付を消去し、修正された日付の入力を受け付けて、修正された日付を書き込む。【選択図】          図２
2004260303.tif 000002
【特許請求の範囲】
【請求項１】
撮影日時を表す日時情報が映し込まれた写真画像を表す画像データに対する修正された日時情報の入力を受け付け、
該修正された日時情報に基づいて前記画像データを修正して、前記日時情報が修正された修正済み写真画像を表す処理済み画像データを取得することを特徴とする画像処理方法。
【請求項２】
前記画像データが一連の写真画像のうちの一の写真画像を表すものである場合、前記一連の写真画像に映し込まれた日時情報を認識し、
前記一の写真画像に映し込まれた日時情報と前記修正された日時情報との差分に基づいて、前記一連の写真画像に映し込まれた日時情報を修正することを特徴とする請求項１記載の画像処理方法。
【請求項３】
撮影日時を表す日時情報が映し込まれた写真画像を表す画像データに対する前記日時情報の消去の指示を受け付け、
該指示に基づいて前記画像データを修正して、前記日時情報が消去された消去済み写真画像を表す処理済み画像データを取得することを特徴とする画像処理方法。
【請求項４】
撮影日時を表す日時情報が映し込まれた写真画像を表す画像データに対する修正された日時情報の入力を受け付ける受け付け手段と、
該修正された日時情報に基づいて前記画像データを修正して、前記日時情報が修正された修正済み写真画像を表す処理済み画像データを取得する修正手段とを備えたことを特徴とする画像処理装置。
【請求項５】
前記画像データが一連の写真画像のうちの一の写真画像を表すものである場合、前記修正手段は、前記一連の写真画像に映し込まれた日時情報を認識する認識手段を備え、
前記一の写真画像に映し込まれた日時情報と前記修正された日時情報との差分に基づいて、前記一連の写真画像に映し込まれた日時情報を修正する手段であることを特徴とする請求項４記載の画像処理装置。
【請求項６】
撮影日時を表す日時情報が映し込まれた写真画像を表す画像データに対する前記日時情報の消去の指示を受け付ける受け付け手段と、
該指示に基づいて前記画像データを修正して、前記日時情報が消去された消去済み写真画像を表す処理済み画像データを取得する修正手段とを備えたことを特徴とする画像処理装置。
【請求項７】
撮影日時を表す日時情報が映し込まれた写真画像を表す画像データに対する修正された日時情報の入力を受け付ける手順と、
該修正された日時情報に基づいて前記画像データを修正して、前記日時情報が修正された修正済み写真画像を表す処理済み画像データを取得する手順とを有する画像処理方法をコンピュータに実行させるためのプログラム。
【請求項８】
前記画像データが一連の写真画像のうちの一の写真画像を表すものである場合、前記処理済み画像データを取得する手順は、前記一連の写真画像に映し込まれた日時情報を認識する手順と、
前記一の写真画像に映し込まれた日時情報と前記修正された日時情報との差分に基づいて、前記一連の写真画像に映し込まれた日時情報を修正する手順とを有する請求項７記載のプログラム。
【請求項９】
撮影日時を表す日時情報が映し込まれた写真画像を表す画像データに対する前記日時情報の消去の指示を受け付ける手順と、
該指示に基づいて前記画像データを修正して、前記日時情報が消去された消去済み写真画像を表す処理済み画像データを取得する手順とを有する画像処理方法をコンピュータに実行させるためのプログラム。
【発明の詳細な説明】
【０００１】
【発明の属する技術分野】
本発明は、写真画像に映し込まれた撮影日時を表す日時情報を修正する画像処理方法および装置並びに画像処理方法をコンピュータに実行させるためのプログラムに関するものである。
【０００２】
【従来の技術】
近年、大容量記録媒体の低価格化に伴い個人が多量のデータを保存できるようになり、電子アルバムのような多量の画像データの保存および管理を行うシステムを個人が所有することが可能になっている。また、ユーザの代わりにユーザの写真画像データを電子アルバムのように管理するサービスも提供されている。これらの管理システムに求められる機能としては、デジタルカメラで撮像されたデジタルの写真画像だけを管理するのみならず、銀塩写真などの既存の写真画像をデジタル化して保存および管理することにもある。また、デジタル化することで管理が容易になり、経年劣化もなくなる。
【０００３】
多量の写真画像の画像データを管理するには、後に使用する時の検索および閲覧が簡単かつ直感的に分かるように整理する必要がある。整理の方法としては、日付を使用することが最も実用的であり、例えば特許文献１に記載されているように、日付順に画像データを記録する電子アルバムの技術が提案されている。
【０００４】
このような写真画像を電子化して整理する一方で、従来のように写真画像のプリントをそれに映し込まれている日付を利用して整理してアルバムを作成することが行われている。また、デジタルカメラにより取得された画像データをプリント出力する際に、プリントに日付を印字することも可能であり、これによりデジタルカメラにより取得された画像データから得られたプリントを、従来の銀塩写真と同様に日付を用いてアルバムに整理することが可能となる。
【０００５】
【特許文献１】
特開平６−２５１０８３号公報
【０００６】
【発明が解決しようとする課題】
しかしながら、カメラの電池を入れ替えた場合や海外旅行に出かけた場合等に、カメラに設定されている時計を修正しないで撮影を行うと、得られる銀塩写真や画像データから得られるプリント（以下写真画像とする）に映し込まれた日付が、実際に撮影を行った日付と異なるものとなってしまう。このため、写真画像の整理を行う際に、写真画像を実際に撮影した順に並べることができなくなってしまうという問題がある。
【０００７】
また、写真画像を引き伸ばして飾ったりする場合には、写真画像に映し込まれた日付が目障りな場合もある。
【０００８】
本発明は上記事情に鑑みなされたものであり、写真画像に映し込まれた日付を用いて、写真画像を実際に撮影した日付順に正しく並べることができるようにすることを目的とする。
【０００９】
また、本発明は日付が映し込まれていない写真画像を得ることを他の目的とする。
【００１０】
【課題を解決するための手段】
本発明による第１の画像処理方法は、撮影日時を表す日時情報が映し込まれた写真画像を表す画像データに対する修正された日時情報の入力を受け付け、
該修正された日時情報に基づいて前記画像データを修正して、前記日時情報が修正された修正済み写真画像を表す処理済み画像データを取得することを特徴とするものである。
【００１１】
「撮影日時」とは撮影日のみ、撮影時刻のみまたは撮影日と撮影時刻との双方のことをいう。
【００１２】
「日時情報の入力を受け付ける」とは、マニュアル入力されたものを受け付けるのみならず、何らかの方法により求められた日時情報を受け付ける場合をも含む。例えば、海外旅行に出かけて撮影した写真画像については、出かけた国名が分かれば日本との時差が分かる。このため、出かけた国名の情報を得て日本との時差を算出するとともに、画像データに基づいて日時情報を認識し、認識結果と算出された時差とに基づいて、写真画像の正しい撮影日時を表す日時情報を算出することができ、このようにして算出された日時情報の入力を受け付けるようにしてもよい。
【００１３】
「日時情報を修正する」とは、入力された日時情報を写真画像に元々映し込まれた日時情報の位置に新たに書き込むことをいう。この場合、元々写真画像に含まれる日時情報を完全に消去してから入力された日時情報を書き込めばよいが、例えば日時情報が電卓文字により映し込まれており、「５」を「８」に修正する等、元々映し込まれた日時情報の一部を利用できる場合には、必ずしも日時情報の全てを消去する必要はないため、その一部のみを消去してから入力された日時情報を書き込んでもよい。
【００１４】
なお、本発明による第１の画像処理方法においては、前記画像データが一連の写真画像のうちの一の写真画像を表すものである場合、前記一連の写真画像に映し込まれた日時情報を認識し、
前記一の写真画像に映し込まれた日時情報と前記修正された日時情報との差分に基づいて、前記一連の写真画像に映し込まれた日時情報を修正してもよい。
【００１５】
本発明による第２の画像処理方法は、撮影日時を表す日時情報が映し込まれた写真画像を表す画像データに対する前記日時情報の消去の指示を受け付け、
該指示に基づいて前記画像データを修正して、前記日時情報が消去された消去済み写真画像を表す処理済み画像データを取得することを特徴とするものである。
【００１６】
「日時情報を消去する」とは、日時情報が完全に消去されることのみならず、一見して分からない程度にまで修正されることをも含む。具体的には、日時情報が含まれる領域をぼかす、日時情報が含まれる領域を一定の色で塗りつぶす、日時情報が含まれる領域の平均的な色を求めその色により塗りつぶす、日時情報が認識できないように画像エフェクトを加える等により日時情報を消去すればよい。
【００１７】
本発明による第１の画像処理装置は、撮影日時を表す日時情報が映し込まれた写真画像を表す画像データに対する修正された日時情報の入力を受け付ける受け付け手段と、
該修正された日時情報に基づいて前記画像データを修正して、前記日時情報が修正された修正済み写真画像を表す処理済み画像データを取得する修正手段とを備えたことを特徴とするものである。
【００１８】
なお、本発明による第１の画像処理装置においては、前記画像データが一連の写真画像のうちの一の写真画像を表すものである場合、前記修正手段は、前記一連の写真画像に映し込まれた日時情報を認識する認識手段を備え、
前記一の写真画像に映し込まれた日時情報と前記修正された日時情報との差分に基づいて、前記一連の写真画像に映し込まれた日時情報を修正する手段としてもよい。
【００１９】
本発明による第２の画像処理装置は、撮影日時を表す日時情報が映し込まれた写真画像を表す画像データに対する前記日時情報の消去の指示を受け付ける受け付け手段と、
該指示に基づいて前記画像データを修正して、前記日時情報が消去された消去済み写真画像を表す処理済み画像データを取得する修正手段とを備えたことを特徴とするものである。
【００２０】
なお、本発明による第１および第２の画像処理方法をコンピュータに実行させるためのプログラムとして提供してもよい。
【００２１】
【発明の効果】
本発明の第１の画像処理方法および装置によれば、修正された日時情報の入力が受け付けられ、修正された日時情報に基づいて画像データが修正されて日時情報が修正された修正済み写真画像を表す処理済み画像データが得られる。このため、処理済み画像データをプリント出力することにより得られる写真画像には、修正された日時情報が映し込まれていることとなる。したがって、写真画像に映し込まれた日時情報に基づいて写真画像を日付順に並べるに際し、カメラの時計が間違っている等により元々写真画像に映し込まれた日時情報が誤っている場合であっても、修正された日時情報に基づくことにより、写真画像を撮影日時順に正確に並べて整理することができる。
【００２２】
また、一連の写真画像の日付情報を認識し、一の写真画像に映し込まれた日時情報と修正された日時情報の差分に基づいて、一連の写真画像に映し込まれた日時情報を修正することにより、一つの写真画像について修正された日時情報の入力を受け付けるのみで、一連の写真画像についての日付を修正することができるため、一連の写真画像の日付を効率よく修正することができる。
【００２３】
本発明の第２の画像処理方法および装置によれば、画像データにより表される写真画像に映し込まれた日時情報の消去の指示が受け付けられ、この指示に基づいて画像データが修正されて日時情報が消去された消去済み写真画像を表す処理済み画像データが得られる。このため、処理済み画像データをプリント出力することにより得られる写真画像には日時情報が映し込まれていないこととなる。したがって、日時情報が目障りとなることがなくなる。
【００２４】
【発明の実施の形態】
以下図面を参照して本発明の実施形態について説明する。図１は本発明の第１の実施形態による画像処理装置の構成を示す概略ブロック図である。図１に示すように本実施形態による画像処理装置１は、複数の写真画像が記録されたフイルムＦから写真画像を読み取って複数の画像データＳ０を得るスキャナ１０と、画像データＳ０および種々の情報を保管するハードディスク等の記憶手段１１と、画像データＳ０および種々の表示を行うモニタ１２と、キーボードおよびマウス等からなる入力手段１３と、後述するように写真画像に映し込まれた日付を修正する修正手段１４と、画像データＳ０や後述する処理済み画像データＳ１をプリント出力するプリンタ１５と、ネットワーク２に接続された端末装置３と通信を行う通信インターフェース１６と、スキャナ１０、記憶手段１１、モニタ１２、入力手段１３、修正手段１４、プリンタ１５および通信インターフェース１６の制御を行う制御手段１７とを備える。
【００２５】
なお、画像処理装置１は、ネットワーク２を介して端末装置３と接続されてなるものであり、プリントの注文を受け付けてプリントを生成したり、画像データを保管したり、ＣＤ−Ｒに書き込んだりする写真店に設置されているものである。
【００２６】
本実施形態においては、端末装置３のユーザが銀塩写真フイルムに画像の記録を行う銀塩カメラを用いて撮影を行い、撮影済みのフイルムを写真店に持ち込んで同時プリントおよびフイルムに記録された画像を表す画像データの保管を写真店に依頼するものとする。なお、スキャナ１０において写真画像が読み取られるフイルムＦは現像済みのものである。また、スキャナ１０により取得された画像データＳ０はファイル名が付与されて記憶手段１１に保管される。
【００２７】
そして、本実施形態においては、カメラの電池の入れ替えを行った場合や、海外で撮影を行った場合にカメラの時計を修正し忘れたことにより、写真画像に映し込まれた日付が実際の撮影日と異なるものとなっている場合に、ユーザが端末装置３から画像処理装置１にアクセスし、画像処理装置１に日付の修正を行わせる。
【００２８】
画像処理装置１は端末装置３から送信された情報に基づいて、修正が指示された画像データ（Ｓ０′とする）を記憶手段１１から読み出し、画像データＳ０′を修正して日付が修正された修正済み写真画像を表す処理済み画像データＳ１を取得し、処理済み画像データＳ１をプリンタ１５によりプリント出力する。
【００２９】
修正手段１４は、写真画像に映し込まれた日付の修正を行う。具体的には、端末装置３から送信された日付の修正を行う写真画像のファイル名に基づいて、修正の対象となる画像データＳ０′を記憶手段１１から読み出し、通信インターフェース１６から端末装置３に画像データＳ０′を送信する。
【００３０】
端末装置３には画像データＳ０′が表示され、ユーザは表示された画像データＳ０′により表される写真画像において日付が映し込まれた領域（日付領域とする）を端末装置３に設けられたマウスやキーボード等の入力手段を用いて指定するとともに、修正する日付を入力し、日付領域を表す領域情報および修正する日付を表す修正日付情報を画像処理装置１に送信する。
【００３１】
なお、写真画像に映し込まれる日付は写真画像の他の領域と色が異なっている場合が多く、また日付領域は写真画像における予め定められた位置にあることが多い。したがって、日付領域の認識を画像処理装置１において行ってもよい。
【００３２】
修正手段１４は、領域情報および修正日付情報をうけて、まず領域情報に基づいて読み出された画像データＳ０′により表される写真画像の日付を消去する。具体的には、画像データＳ０′により表される写真画像における日付領域をぼかす、日付領域を一定の色で塗りつぶす、日付領域の平均的な色を求めその色により塗りつぶす、日付が認識できないように画像エフェクトを加える等により日付が消去される。これにより、例えば図２（ａ）に示すように日付が映し込まれた写真画像から図２（ｂ）に示すように日付が消去される。なお、図２においては日付領域を破線で囲まれた領域Ａ１とする。
【００３３】
そして、修正日付情報に基づいて、ユーザが指定した日付を日付が消去された日付領域に書き込む。これにより、図２（ｃ）に示すように、ユーザが指定した日付が写真画像における元々日付が映し込まれていた日付領域に書き込まれて、日付が修正された修正済み写真画像を表す処理済み画像データＳ１が取得される。この際、書き込む日付の文字サイズは日付領域のサイズに基づいて定められる。なお、元々映し込まれていた日付の文字サイズと同一サイズとなるように修正された日付を書き込んでもよい。
【００３４】
次いで、本実施形態の動作について説明する。図３は本実施形態において行われる処理を示すフローチャートである。なお、端末装置３のユーザは、撮影済みのフイルムの同時プリントおよび画像データの保管を写真店に依頼し、写真店はプリントをユーザに渡すとともに、現像済みのフイルムＦから写真画像を読み取ることにより得られた画像データＳ０を記憶手段１１に保管しているものとする。また、ユーザは海外旅行に出かけた際にカメラの時計を修正しなかったために、プリントされた写真画像に映し込まれた日付が実際に撮影を行った日付とは異なっているものとする。
【００３５】
まず、ユーザが端末装置３から画像処理装置１にアクセスし（ステップＳ１）、日付を修正したい写真画像のファイル名を端末装置３に入力して、端末装置３から画像処理装置１にファイル名を送信する（ステップＳ２）。
【００３６】
画像処理装置１はファイル名を受信し（ステップＳ３）、修正手段１４がファイル名に基づいてユーザが特定した写真画像を表す画像データＳ０′を記憶手段１１から読み出し（ステップＳ４）、端末装置３に送信する（ステップＳ５）。
【００３７】
端末装置３は画像データＳ０′を表示し（ステップＳ６）、続いて日付領域の指定および修正日付の入力を受け付けたか否かの監視を開始し（ステップＳ７）、ステップＳ７が肯定されると、日付領域を表す領域情報および修正された日付を表す修正日付情報を画像処理装置１に送信する（ステップＳ８）。
【００３８】
画像処理装置１は領域情報および修正日付情報を受信し（ステップＳ９）、画像データＳ０′により表される写真画像に含まれる日付領域内の日付を消去するとともに修正された日付を日付領域に書き込んで、日付が修正された修正済み写真画像を表す処理済み画像データＳ１を生成する（ステップＳ１０）。そして処理済み画像データＳ１を端末装置３に送信する（ステップＳ１１）。
【００３９】
端末装置３は処理済み画像データＳ１を表示し（ステップＳ１２）、続いてユーザによりさらに日付の修正の指示がなされたか否かを判定する（ステップＳ１３）。ステップＳ１３が肯定されると、ステップＳ８に戻り、さらに修正された修正日付情報を画像処理装置１に送信する。ステップＳ１２が否定されると、再プリント指示の情報を画像処理装置１に送信する（ステップＳ１４）。
【００４０】
画像処理装置１は再プリント指示情報を受信し（ステップＳ１５）、これに基づいて処理済み画像データＳ１をプリンタ１５からプリント出力し（ステップＳ１６）、処理を終了する。
【００４１】
このように、本実施形態においては、写真画像に映し込まれた日付を修正して処理済み画像データＳ１を得るようにしたため、処理済み画像データＳ１をプリント出力することにより得られる写真画像には、修正された日付が映し込まれていることとなる。したがって、写真画像に映し込まれた日付に基づいてプリントされた写真画像を日付順に並べるに際し、カメラの時計を修正し忘れた等により元々写真画像に映し込まれた日時情報が誤っている場合であっても、修正された日時情報に基づくことにより、写真画像を撮影日時順に正確に並べて整理することができる。
【００４２】
なお、上記実施形態においては、元々映し込まれた日付を消去してから修正された日付を書き込んでいるが、元々映し込まれた日付が「９１  ０１  ０１」であり、修正された日付が「０２  ０８  １１」であり、さらに日付の数字が電卓に用いられる電卓数字である場合には、図４に示すように、「９１  ０１  ０１」の斜線部分と「０２  ０８  １１」の斜線部分とを兼用できる。このため、必ずしも「９１  ０１  ０１」を完全に消去しなくても修正された日付を書き込むことができる。したがって、日付領域に含まれる日付を完全に消去することなく、元々映し込まれている日付において修正された日付と兼用できる部分を残しておくようにしてもよい。
【００４３】
また、上記実施形態において、フイルムＦには２４コマや３６コマ等、複数の写真画像が記録されており、フイルムＦから画像を読み取ることにより複数の画像データＳ０を得ることができるが、カメラの日付が間違っている場合にはフイルムＦに記録された全ての写真画像の日付が間違ったものとなるため、全ての写真画像について日付を修正する必要がある。この場合、上記実施形態のように、日付を修正する画像データＳ０′を１つずつ端末装置３に表示して修正を行ってもよいが、修正手段１４に写真画像の日付を認識する機能を持たせて、以下に示す第２の実施形態のように日付を修正してもよい。
【００４４】
図５は第２の実施形態において行われる処理を示すフローチャートである。なお、第２の実施形態においては図３に示す第１の実施形態のフローチャートにおけるステップＳ１からステップＳ１５までの処理は第１の実施形態と同様に行われるためここでは説明を省略し、ステップＳ１５以降に行われる処理についてのみ説明する。また、再プリントの指示は日付を修整した写真画像が記録されたフイルムＦから得た全ての写真画像に対して行われるものとする。
【００４５】
画像処理装置１は再プリント指示情報を受信すると、日付が修正された写真画像に元々含まれる日付の認識を行い（ステップＳ２１）、さらに認識された日付と修正された日付との差を表す差分値を算出する（ステップＳ２２）。具体的には、認識された日付が２００２年８月１１日、修正された日付が２００２年９月１１日である場合、差分値は＋３１日となる。そして、再プリントの指示がなされた全ての写真画像に映し込まれた日付を認識し（ステップＳ２３）、認識した日付に差分値を加減算することにより日付を修正し（ステップＳ２４）、修正した日付となるように全ての写真画像に映し込まれた日付を修正して、全ての写真画像を表す画像データＳ０から日付が修正された処理済み画像データＳ１を生成する（ステップＳ２５）。具体的には差分値が＋３１日である場合、認識した日付に３１日を加算して日付を修正する。そして、処理済み画像データＳ１をプリンタ１５からプリント出力し（ステップＳ２６）、処理を終了する。
【００４６】
このように、第２の実施形態においては、一つの写真画像についての日付の修正を行うのみで、フイルムＦに記録された全ての写真画像についての日付を修正できるため、フイルムＦに記録された一連の写真画像の日付を効率よく修正することができる。
【００４７】
なお、上記第１および第２の実施形態においては、フイルムＦに記録された写真画像から読み取ることにより得られた画像データＳ０，Ｓ０′を修正することにより、画像データＳ０，Ｓ０′により表される写真画像に映し込まれた日付を修正しているが、フイルムＦをプリントすることにより得られた写真画像に映し込まれた日付を修正する場合には、スキャナによりプリントを光電的に読み取って画像データを得、プリントから得た画像データを修正することにより写真画像に映し込まれた日付を修正してもよい。
【００４８】
また、デジタルカメラにより取得した画像データをプリントする場合に日付を付与することができるが、デジタルカメラの時計が間違っている場合がある。また、磁気情報を記録可能な磁気記録部を有するフイルムに記録された写真画像をプリント出力する場合は、磁気記録部に記録された日付情報に基づいてプリントに日付を付与することができるが、磁気記録部を有するフイルムを用いて撮影を行うカメラの時計が間違っている場合がある。このような場合には、得られたプリントをスキャナにより光電的に読み取った画像データを得、プリントから得た画像データを上記第１および第２の実施形態と同様に修正することにより、写真画像に映し込まれた日付を修正すればよい。
【００４９】
また、上記第１および第２の実施形態においては、写真画像に映し込まれた日付を修正しているが、図２（ｂ）に示す処理までを行って、写真画像に映し込まれた日付を消去してもよい。このように、写真画像に映し込まれた日付を消去することにより、日付が目障りとなることがなくなる。
【００５０】
また、上記第１および第２の実施形態においては、端末装置３から修正された日付を入力しているが、例えば、海外旅行に出かけて撮影した写真画像については、出かけた国名が分かれば日本との時差が分かる。このため、出かけた国名の情報を得て日本との時差を算出するとともに、写真画像に映し込まれた日付を認識し、認識結果と算出された時差とに基づいて、写真画像を実際に撮影した日付を算出し、算出された日付を写真画像に書き込むようにしてもよい。
【００５１】
また、上記第１および第２の実施形態においては、端末装置３とネットワーク２を介して接続された写真店に設置された画像処理装置１において、日付の修正を行っているが、修正手段１４と同様の機能を実行するためのアプリケーションを端末装置３にインストールし、端末装置３に画像データＳ０を保管しておくことにより、端末装置３において写真画像の日付の修正を行うようにしてもよい。
【００５２】
また、上記第１および第２の実施形態においては、写真画像に映し込まれた日付を修正しているが、日付とともに撮影時刻が映し込まれている場合や、撮影時刻のみが映し込まれている場合がある。このような場合には、日付のみならず日付および／または撮影時刻を修正するようにしてもよい。
【図面の簡単な説明】
【図１】本発明の実施形態による画像処理装置の構成を示す概略ブロック図
【図２】修正手段が行う処理を説明するための図
【図３】第１の実施形態において行われる処理を示すフローチャート
【図４】日付の修正を説明するための図
【図５】第１の実施形態において行われる処理を示すフローチャート
【符号の説明】
１    画像処理装置
２    ネットワーク
３    端末装置
１０    スキャナ
１１    記憶手段
１２    モニタ
１３    入力手段
１４    修正手段
１５    プリンタ
１６    通信インターフェース
１７    制御手段
【図１】
2004260303.tif 000003
【図２】
2004260303.tif 000004
【図３】
2004260303.tif 000005
【図４】
2004260303.tif 000006
【図５】
2004260303.tif 000007